(57)【要約】製造及び使用方法が同じ車両情報装置及び方法のための分配システム。分配システムにより１つ以上のビデオ変換装置を経由して従来のビデオ表示装置の画質を高めることができる。各ビデオ変換装置は、受信通信信号を介して情報コンテンツを受信し、強化されたビデオ信号を形成するために情報コンテンツのビデオ部分を高める。強化されたビデオ信号は、ビデオ表示装置に送信される。バイパスシステムを備えたビデオ変換装置を構成することにより、分配システムは、たとえ分配システムが故障しても、１つ以上のビデオ変換装置を迂回することができる。その結果、システムリソース間の通信は、維持される。結果として、車両に搭乗して移動する乗客は、移動中、サービスの中断及び不要な移動遅延することなく高解像度及び高画質の情報コンテンツを見ることができる。
2008538486.tif 000002
【特許請求の範囲】
【請求項１】
選択された情報コンテンツのビデオ部分を受信するビデオ変換装置であって、
受信通信信号を介して上記選択された情報コンテンツを受信する入力ＣＯＭポートと、
外部のシステムリソースに上記受信通信信号を送信する第１の出力ＣＯＭポートと、
標準ビデオフォーマットで選択された情報コンテンツのビデオ部分を構成する標準ビデオ信号を送信する第２の出力ＣＯＭポートと、
強化されたビデオフォーマットで選択された情報コンテンツのビデオ部分を構成する強化されたビデオ信号を送信する第３の出力ＣＯＭポートとを含む複数のＣＯＭポートを備え、
上記入力ＣＯＭポートを経由して受信通信信号を受信し、上記ビデオ変換装置が通常の動作モードの場合には、上記標準ビデオ信号及び上記強化されたビデオ信号の少なくとも１つを送信するために上記受信通信信号をビデオコンポーネントに変換する信号処理装置と、
上記入力ＣＯＭポート及び上記第１の出力ＣＯＭポートに接続し、上記ビデオ変換装置が故障モードの場合には、上記信号処理装置を回避するバイパスシステムを備えるビデオ変換装置。
【請求項２】
上記受信通信信号は、複数の情報コンテンツチャンネルを備える請求項１に記載のビデオ変換装置。
【請求項３】
上記受信通信信号は、イーサネット、ファースト・イーサネット、及びギガビット・イーサネットである標準プロトコルのグループから選択されるイーサネット信号を備える、請求項１に記載のビデオ変換装置。
【請求項４】
上記標準ビデオ信号は、合成ビデオ信号を備える、請求項１に記載のビデオ変換装置。
【請求項５】
上記強化されたビデオ信号は、ハイビジョンのビデオ信号を備える、請求項１に記載のビデオ変換装置。
【請求項６】
上記強化されたビデオ信号は、コンポーネントビデオ信号及びデジタルビデオ入力（ＤＶＩ）信号を含むハイビジョン信号のグループから選択される、請求項５に記載のビデオ変換装置
【請求項７】
上記信号処理装置は、上記受信通信信号を解読して、上記ビデオ変換装置が上記通常の動作モードにある場合には、ベースバンドビデオ信号として上記標準ビデオ信号及び上記強化されたビデオ信号の少なくとも１つを送信する、請求項１に記載のビデオ変換装置。
【請求項８】
上記信号処理装置は、上記受信通信信号の上記ビデオコンポーネントに変換し、中間ビデオ信号を構成し、上記ビデオ変換装置は、上記強化されたビデオ信号を構成するために上記中間ビデオ信号を符号化するビデオエンコーダ装置をさらに備える、請求項１に記載のビデオ変換装置。
【請求項９】
上記信号処理装置は、上記受信通信信号の上記ビデオコンポーネントに変換し、中間ビデオ信号を構成し、上記ビデオ変換装置は、上記中間ビデオ信号のそれぞれを符号化し、符号化された中間ビデオ信号を構成するビデオエンコーダ装置と、上記強化されたビデオ信号を構成するために複数の符号化された中間ビデオ信号を多重化するビデオ多重変換装置をさらに備える、請求項１に記載のビデオ変換装置。
【請求項１０】
上記信号処理装置は、上記受信通信信号を音声コンポーネントに変換し、中間音声信号を構成し、強化された音声フォーマットで選択された情報コンテンツのうち音声部分を構成する強化された音声信号を構成する信号処理装置を備え、複数の上記ＣＯＭポートは、上記強化されたビデオ信号を送信する第４の出力ＣＯＭポートをさらに含む、請求項１に記載のビデオ変換装置。
【請求項１１】
上記信号処理装置は、上記受信通信信号の上記音声コンポーネントを変換し、中間音声信号を構成し、上記ビデオ変換装置は、上記中間音声信号を強化された音声信号に変換する音声処理装置をさらに備える、請求項１０に記載のビデオ変換装置。
【請求項１２】
上記ビデオ変換装置は、スイッチングシステムをさらに備え、上記信号処理装置は、上記スイッチングシステムを介して上記入力ＣＯＭポートから上記受信通信信号を受信する、請求項１に記載のビデオ変換装置。
【請求項１３】
上記スイッチングシステムは、高速イーサネットスイッチングシステムを備える、請求項１２に記載のビデオ変換装置。
【請求項１４】
上記スイッチングシステムは、イーサネット、ファースト・イーサネット及びギガバイト・イーサネットからなるプロトコル標準のグループから選択された通信プロトコル形式をサポートする、請求項１２に記載のビデオ変換装置。
【請求項１５】
上記バイパスシステムは、上記ビデオ変換装置が上記故障モードである場合に、上記入力ＣＯＭポートと上記第１の出力ＣＯＭポートを直接に接続する、請求項１に記載のビデオ変換装置。
【請求項１６】
上記バイパスシステムは、電子リレー装置を備える、請求項１に記載のビデオ変換装置。
【請求項１７】
上記信号処理装置及び上記バイパス装置を含むビデオ変換装置のコンポーネントの少なくとも１つに電力を印可する電源装置をさらに備える、請求項１に記載のビデオ変換装置。
【請求項１８】
上記電源装置は、少なくとも１つのシステムリソースに電力を印可する、請求項１７に記載のビデオ変換装置。
【請求項１９】
少なくとも１つの上記システムリソースは、ビデオ表示装置を含む、請求項１８に記載のビデオ変換装置。
【請求項２０】
上記電力変換装置は、複数の余剰電力変換予備装置を含む、請求項１７に記載のビデオ変換装置。
【請求項２１】
上記電力変換装置は、分配システム内に配置される、請求項１に記載のビデオ変換装置。
【請求項２２】
情報コンテンツを送信する分配システムであって、
通信信号を介して選択された情報コンテンツを送信する第１のシステムリソース及び上記通信信号を受信する第２のシステムリソースを含む、複数のシステムリソースを備え、
ビデオ変換装置は、
上記第１のシステムリソースから上記通信信号を受信するビデオ変換装置であって、
上記第２のシステムリソースから上記通信信号を送信する第１の出力ＣＯＭポートと、
標準ビデオフォーマットで選択された情報コンテンツのビデオ部分を構成する標準ビデオ信号を送信する第２の出力ＣＯＭポートと、
強化されたビデオフォーマットで選択された情報コンテンツのビデオ部分を構成する強化されたビデオ信号を送信する第３の出力ＣＯＭポートとを含む複数のＣＯＭポートを備え、
上記入力ＣＯＭポートを経由して上記通信信号を受信し、上記ビデオ変換装置が通常の動作モードの場合には、上記標準ビデオ信号及び上記強化されたビデオ信号の少なくとも１つを送信するために上記通信信号をビデオコンポーネントに変換する信号処理装置と、
上記入力ＣＯＭポート及び上記第１の出力ＣＯＭポートに接続し、上記ビデオ変換装置が故障モードの場合には、上記信号処理装置を回避するバイパスシステムを備えるビデオ変換装置。
【請求項２３】
上記分配システムは、有線の分配システムを備える、請求項２２に記載の分配システム。
【請求項２４】
上記有線の分配システムは、少なくとも１つの光ファイバーの通信接続を含む請求項２３に記載の分配システム。
【請求項２５】
上記有線の分配システムは、少なくとも１つの銅線の通信接続を含む請求項２３に記載の分配システム。
【請求項２６】
上記有線の分配システムは、イーサネット、ファースト・イーサネット、及びギガビット・イーサネットである標準プロトコルのグループから選択されるイーサネット信号を有する有線通信をサポートする、請求項２２に記載の分配システム。
【請求項２７】
上記バイパスシステムは、少なくとも２つの第２のＣＯＭポートを直接に接続する、請求項２２に記載の分配システム。
【請求項２８】
上記バイパスシステムは、上記ビデオ変換装置が故障モードの場合には、上記入力ＣＯＭポート及び上記第１の出力ＣＯＭポートを直接に接続する、請求項２２に記載の分配システム。
【請求項２９】
上記故障モードは、上記ビデオ変換装置への電力喪失、選択されたシステムリソースへの電力喪失、通信接続の断線、及びシステムリソースの故障からなる故障モードのグループから選択される、請求項２２に記載の分配システム。
【請求項３０】
上記分配システムは、車両情報装置内に配置される、請求項２２に記載の分配システム。
【請求項３１】
上記分配システムは、航空機に搭載される、請求項３０に記載の分配システム。
【請求項３２】
車両情報装置であって、
情報コンテンツを送信するヘッドエンドシステムと、
分配システムは、
通信信号を介して上記ヘッドエンドシステムから選択された情報コンテンツを受信するエリア分配箱と、
上記エリア分配箱から上記通信信号を受信する入力ＣＯＭポートと、
第２のビデオ変換装置に上記通信信号を送信する第１の出力ＣＯＭポートと、
標準ビデオフォーマットで選択された情報コンテンツのビデオ部分を構成する強化されたビデオ信号を送信する第２の出力ＣＯＭポートと、
強化されたビデオフォーマットで選択された情報コンテンツのビデオ部分を構成する強化されたビデオ信号を提供する第３の出力ＣＯＭポートとを含む複数のＣＯＭポートとを備える第１のビデオ変換装置と、
上記入力ＣＯＭポートを経由して上記通信信号を受信し、上記ビデオ変換装置が通常の動作モードの場合には、上記標準ビデオ信号及び上記強化されたビデオ信号の少なくとも１つを送信するために上記通信信号をビデオコンポーネントに変換する信号処理装置と、
上記入力ＣＯＭポート及び上記第１の出力ＣＯＭポートに接続し、上記ビデオ変換装置が故障モードの場合には、上記信号処理装置を回避するバイパスシステムとを含み、
上記標準ビデオ信号及び上記強化されたビデオ信号の少なくとも１つを受信し、選択された情報のビデオ部分を表示する表示装置とを備える車両情報装置。
【請求項３３】
上記ヘッドエンド装置は、サーバシステム、中間サーバシステム、アンテナ装置及び送受信機からなるコンテンツリソースのグループから選択されたコンテンツリソースを少なくとも１つ含む、請求項３２に記載の車両情報装置。
【請求項３４】
上記分配システムは、上記第１のエリア分配箱とともに上記ヘッドエンド装置をインターフェイスで接続するインターフェイススイッチングシステムをさらに含む、請求項３２に記載の車両情報装置。
【請求項３５】
上記インターフェイススイッチングシステムは、イーサネットスイッチングシステムを備える、請求項３４に記載の車両情報装置。
【請求項３６】
上記インターフェイススイッチングシステムは、複数の相互接続した交換スイッチング予備装置として備えられる、請求項３４に記載の車両情報装置。
【請求項３７】
上記バイパス装置は、上記ビデオ変換装置が上記故障モードである場合に、上記入力ＣＯＭポートと上記第１の出力ＣＯＭポートを直接に接続する、請求項３２に記載の車両情報装置。
【請求項３８】
上記第１のビデオ変換装置及び第２のビデオ変換装置は、デイジーチェーン型の配置で、上記エリア分配箱と接続される、請求項３２に記載の車両情報装置。
【請求項３９】
上記車両情報装置は、乗客用娯楽装置を備える、請求項３２に記載の車両情報装置。
【請求項４０】
上記車両情報装置は、航空機の機内に搭載される、請求項３９に記載の車両情報装置。
【請求項４１】
航空機であって、
機体と上記機体内に配置された複数の客席と、
情報コンテンツを送信するヘッドエンドシステム及び分配システムを有する上記機体内に配置された車両情報装置と、
上記分配システムは、
通信信号を介して上記ヘッドエンドシステムから選択された情報コンテンツを受信するエリア分配箱と、
上記エリア分配箱から上記通信信号を受信する入力ＣＯＭポートと、
第２のビデオ変換装置に上記通信信号を送信する第１の出力ＣＯＭポートと、
標準ビデオフォーマットで選択された情報コンテンツのビデオ部分を構成する強化されたビデオ信号を送信する第２の出力ＣＯＭポートと、
強化されたビデオフォーマットで選択された情報コンテンツのビデオ部分を構成する強化されたビデオ信号を提供する第３の出力ＣＯＭポートとを含む複数のＣＯＭポートとを備える第１のビデオ変換装置と、
上記入力ＣＯＭポートを経由して上記通信信号を受信し、上記ビデオ変換装置が通常の動作モードの場合には、上記標準ビデオ信号及び上記強化されたビデオ信号の少なくとも１つを送信するために上記通信信号をビデオコンポーネントに変換する信号処理装置と、
上記入力ＣＯＭポート及び上記第１の出力ＣＯＭポートに接続し、上記ビデオ変換装置が故障モードの場合には、上記信号処理装置を回避するバイパスシステムとを含み、
上記標準ビデオ信号及び上記強化されたビデオ信号の少なくとも１つを受信し、選択された情報のビデオ部分を表示する表示装置とを備える航空機。
【請求項４２】
情報コンテンツのビデオ部分を強化する方法であって、
受信通信信号を介して選択された情報コンテンツを受信し、
通常の動作モードの場合には、信号処理装置を介して上記受信通信信号のビデオコンポーネントを変換し、標準ビデオフォーマットで選択された情報コンテンツのビデオ部分を構成する標準ビデオ信号及び強化されたビデオフォーマットで選択された情報コンテンツのビデオ部分を構成する強化されたビデオ信号の少なくとも１つを送信し、
故障モードの場合には、
上記信号処理装置を迂回し、
外部のシステムリソースに上記受信通信信号を送信する方法。
【請求項４３】
上記送信する選択された情報コンテンツは、複数の情報コンテンツチャンネルとして送信する選択された情報コンテンツを構成する、請求項４２に記載の方法。
【請求項４４】
上記送信する選択された情報コンテンツは、イーサネット、ファースト・イーサネット、及びギガビット・イーサネットである標準プロトコルのグループから選択されるイーサネット信号として送信する選択された情報コンテンツを構成する、請求項４２に記載の方法。
【請求項４５】
上記変換する上記受信通信信号の上記ビデオコンポーネントは、合成ビデオ信号として送信する上記標準ビデオ信号を含む、請求項４２に記載の方法。
【請求項４６】
上記変換する上記受信通信信号の上記ビデオコンポーネントは、ハイビジョンのビデオ信号として送信する上記強化されたビデオ信号を含む、請求項４２に記載の方法。
【請求項４７】
上記変換する上記受信通信信号の上記ビデオコンポーネントは、送信する上記強化されたビデオ信号を含み、上記強化されたビデオ信号は、コンポーネントビデオ信号及びデジタルビデオ入力（ＤＶＩ）信号を含むハイビジョン信号のグループから選択される、請求項４６に記載の方法。
【請求項４８】
上記変換する上記受信通信信号の上記ビデオコンポーネントは、解読する上記受信通信信号を構成し、上記ビデオ変換装置が上記通常の動作モードにある場合には、ベースバンドビデオ信号として上記標準ビデオ信号及び上記強化されたビデオ信号の少なくとも１つを送信する、請求項４２に記載の方法。
【請求項４９】
上記変換する上記受信通信信号の上記ビデオコンポーネントは、中間ビデオ信号を送信するための解読する上記受信通信信号及び上記強化されたビデオ信号を送信するための符号化する上記中間ビデオ信号を構成する、請求項４２に記載の方法。
【請求項５０】
上記変換する上記受信通信信号の上記ビデオコンポーネントは、複数の中間ビデオ信号を送信するための上記受信通信信号の変換する上記ビデオコンポーネント、複数の符号化された中間ビデオ信号を送信するために符号化する上記各中間ビデオ信号、及び上記標準ビデオ信号を送信するための多重化する複数の上記符号化された中間ビデオ信号を構成する、請求項４２に記載の方法。
【請求項５１】
強化された音声フォーマットで上記選択された情報コンテンツの音声部分を構成する強化された音声信号を送信するための上記受信通信信号の変換する音声コンポーネントをさらに構成する、請求項４２に記載の方法。
【請求項５２】
上記変換する上記受信通信信号の音声コンポーネントは、中間音声信号を送信するための変換する上記受信通信信号及び上記強化された音声信号に変換する上記中間音声信号を構成する、請求項５１に記載の方法。
【請求項５３】
上記信号処理装置に送信する電力をさらに構成する、請求項５１に記載の方法。
【請求項５４】
少なくとも１つのシステムリソースに送信する電力をさらに構成する、請求項５１に記載の方法。
【請求項５５】
少なくとも１つの外部のシステムリソースに送信する電力は、ビデオ表示装置に送信する電力を含む、請求項５１に記載の方法。
【請求項５６】
情報コンテンツのビデオ部分を強化する方法であって、
受信通信信号として選択された情報コンテンツを受信し、
強化されたビデオフォーマットで選択された情報コンテンツのビデオ部分を構成する強化されたビデオ信号の少なくとも１つを送信するための上記受信通信信号の変換するビデオコンポーネントを構成する方法。
【請求項５７】
選択された情報コンテンツのビデオ部分を強化するビデオ変換装置であって、
受信通信信号を介して上記選択された情報コンテンツを受信する入力ＣＯＭポートと、
強化されたビデオフォーマットで選択された情報コンテンツのビデオ部分を構成する強化されたビデオ信号を送信する出力ＣＯＭポートとを含む複数のＣＯＭポートを備え、
上記入力ＣＯＭポートを経由して受信通信信号を受信し、上記強化されたビデオ信号を送信するために上記受信通信信号をビデオコンポーネントに変換する信号処理装置とを備えるビデオ変換装置。
【発明の詳細な説明】
【技術分野】
【０００１】
本発明は、概してビデオ変換装置に関し、より特定的で独占的ではない、乗用車に搭載して組み込まれた車両情報装置での使用に適したビデオ分配システムに関する。
【背景技術】
【０００２】
乗用車、例えば自動車又は航空機は、多くの場合、旅行中の娯楽及び他の情報コンテンツに対する乗客の要求を満足させる車両情報装置、例えば、乗客用娯楽装置を備えている。
【０００３】
従来、車両情報装置は、乗客にコンテンツ一覧を提供するコンテンツ表示装置を含む。このような車両情報装置は、一般的に、ビデオ表示装置を含み、例えば、コンテンツ一覧を提供する頭上の客室表示装置及び／又は座席の背中の表示装置及び音声表示装置を含む。一覧コンテンツは、あらゆるソースから届けられた音声及びビデオコンテンツを含む。例えば動画、音楽の一覧コンテンツは、例えば車両に搭載されている音声及びビデオ再生装置のような内部のコンテンツソースから配信される。従来の車両情報装置は、例えば車両から離れた１つ以上の外部のコンテンツプロバイダから送信されたライブＴＶ番組のようなコンテンツ一覧を受信するためのアンテナ装置を備える。
【０００４】
しかしながら、このような従来の車両情報装置は、多くの不都合がある。例えば、このような車両情報装置は、一般的に、アナログ形式における合成ビデオでの使用に制限されるビデオ表示装置を含む。それ故、ビデオ表示装置は、低解像度及び低画質でビデオコンテンツを提供する。合成ビデオ信号の使用に関連する低解像度及び低画質は、乗客の不満のしばしばの原因であると証明されている。さらに、一度、車両に取り付けられると、ビデオ表示装置は、取り除く又は強化された画質にビデオ表示装置をアップグレードする複雑な作業、高解像度のビデオ装置に置き換えることは困難である。
【０００５】
前述を考慮して、上述の問題点に打ち勝つ改良されたビデオ表示装置の必要性がある。また、現在、車両情報装置とともに使用されるビデオ表示装置がふさわしいものがない。
【発明を実施するための最良の形態】
【０００６】
図面は、縮尺で描かれておらず、類似の構成又は機能の要素は、各図面において好ましい形態で記載されている。また、図面は、本発明の望ましい実施形態の説明を補助するだけである。図面は、本発明のあらゆる局面を記述していない。また、図面は、発明の範囲を制限するものではない。
【０００７】
現在使用されているビデオ表示装置は、低解像度及び低画質で合成ビデオコンテンツを表示することに制限されているので、選択された情報コンテンツのビデオ部分を強化するビデオ変換装置を含むビデオ分配装置が望ましいと分かり、幅広いビデオ表示に適用する根拠を提供する。例えば、自動車、航空機及び他のタイプの乗客用車両に搭載さえることが望ましい。この結果、開示された実施形態において、図１Ａ及び図１Ｂに示されるビデオ変換装置１００を用いることにより実現される。
【０００８】
図１Ａを見ると、選択された情報コンテンツのビデオの一部を高めるためにビデオ変換装置（又はタッピング装置）１００は、通信信号２００を変換するために、少なくとも１つは入力ＣＯＭポート１１２と少なくとも１つは出力ＣＯＭポート１１４を含む複数のＣＯＭポート１１０を有しているように図示されている。各入力ＣＯＭポート１１２は、受信通信信号２１０を介して従来のコンテンツソース３１０（図４Ａ−Ｂ参照）から情報コンテンツを受信する。記載されたように、受信通信信号２１０は、情報コンテンツの多数の通信路とともに所定の数の信号通信路（図示せず）を含む。受信通信信号２１０を受信すると、ビデオ変換装置１００は、情報コンテンツのビデオの一部を高めて、強化されたビデオ信号２２０を形成する。強化されたビデオ信号２２０は、１つ以上の出力ＣＯＭポート１１４を経由して、少なくとも１つ従来のビデオ表示装置３４２（図示せず）に分配される。それ故に、ビデオ変換装置１００は、ビデオ表示装置３４２に視覚的に表示される情報コンテンツの画像を高めることができる。
【０００９】
同様に、ビデオ変換装置１００は、受信通信信号２１０を受信し、図１Ｂに図示される標準ビデオ信号２３０として増強しないで情報コンテンツのビデオの一部を提供する。ビデオ変換装置１００は、標準ビデオ信号２３０を提供する出力ＣＯＭポート１１６をすくなくとも１つ有しているように図示されている。それ故に、標準ビデオ信号２３０は、上記で述べたように１つ以上のビデオ表示装置３４２（図５参照）に分配される。その結果、ビデオ変換装置１００は、要求通りに、強化されたビデオ信号２２０をいくつかのビデオ表示装置３４２に、標準ビデオ信号２３０を残りのビデオ表示装置３４２に選択的に提供する。いささか言い換えれば、情報コンテンツの第１のチャンネルは、強化されたビデオ信号２２０を介して強化された画質で第１のビデオ表示装置３４２の一連に提供される。一方、第１のチャンネル（及び／又は第２のチャンネル）から情報コンテンツは、標準ビデオ信号２３０を介して標準画質で第２のビデオ表示装置３４２の一連に提供される。ビデオ変換装置１００は、ビデオ表示装置３４２に強化された情報コンテンツを表示することが優先的に可能である。
【００１０】
通信信号２００のそれぞれは、ビデオ情報の送信に適した従来の信号のタイプ、フォーマット、及び／又はプロトコルで提供される。例えば、ビデオ変換装置１００は、アナログ通信信号及び／又は適切な種類のデジタル通信信号として入ってくる通信信号２１０を受信することができる。高いデータ転送速度をサポートするのに適していることが望ましいので、通信信号２１０は、例えばいくつかのタイプのファースト・イーサネット（例えば、１００Ｂａｓｅ−Ｘ及び／又は１００Ｂａｓｅ−Ｔ）通信信号及び／又は１００メガビット／秒（１００Ｍｂｐｓ）の典型的なデータ転送速度のギガバイト（例えば、１０００Ｂａｓｅ−Ｘ及び／又は１０００Ｂａｓｅ−Ｔ）イーサネット通信信号である高速イーサネット通信信号で構成される。些か異なる規定として、通信信号２１０は、イーサネットでサポートされるビデオのデジタル供給としてビデオ変換装置１００に備えられる。
【００１１】
ビデオ変換装置１００は、標準ビデオ信号２３０及び／又は高められたビデオ信号２２０にいずれかの従来のシグナル伝達のタイプ、フォーマット、及び／又はプロトコルで各々に提供することができる。標準ビデオ信号２３０及び／又は高められたビデオ信号２２０は、望ましくは、アナログ信号及び／又はデジタル信号として構成される。例えば、標準ビデオ信号２３０は、例えば合成ビデオ信号として従来のアナログビデオ信号を備える。一方、高められたビデオ信号２２０は、例えばいくつかの従来の高解像度ビデオ信号フォーマットにおけるビデオ信号として高解像度及び高画質を備えた合成ビデオ信号を備える。ビデオ変換装置１００に構成される典型的な高められたビデオ信号２２０は、制限なしで、アナログ成分ビデオ信号及びデジタルビデオ入力（ＤＶＩ）信号を含む。高められたビデオ信号２２０のタイプ、フォーマット及び／又はプロトコルは、少なくとも関連するビデオ表示装置３４２の能力の一部に基づいて、例えば選択される。
【００１２】
望ましくは、１つ以上のビデオ表示装置３４２は、さらに標準画質を備えた情報コンテンツ及び／又は高画質を備えた情報コンテンツの表示の品質を高めるために、強化された特徴を同様に含むことができる。ビデオ表示装置３４２は、例えばより大きく見える領域及び／又は寄り高画質の解像度を備える最新の表示装置及び最新の画像処理機能性を含む。望ましくは、２つ以上の標準ビデオ信号２３０及び／又は高められたビデオ信号２２０に関連した情報コンテンツを同時に表示するために、追加された特徴は、複数の画面のフォーマット機能を含む。例えば、ビデオ表示装置３４２の表示領域は、２つ以上の情報コンテンツを同時に表示するために、例えばピクチャー・イン・ピクチャー（ＰｉＰ）及び／又はピクチャー・アウトサイド・ピクチャー（ＰｏＰ）のような従来の方法で分割される。
【００１３】
ビデオ変換装置１００の好ましい実施形態が図２に示されている。図１Ａ−Ｂに関して上記で説明されたように、ビデオ変換装置１００は、受信通信信号２１０を介して情報コンテンツを受信する少なくとも１つの入力ＣＯＭポート１１２及びビデオ信号２２０、２３０を送信する１つ以上の出力ＣＯＭポート１１４、１１６を含む。出力ＣＯＭポート１１４のそれぞれは、強化されたビデオ信号２３０として強化された情報コンテンツのビデオ部分を提供する。一方、出力ＣＯＭポート１１６は、標準ビデオ信号２３０として強化されていない情報コンテンツのビデオ部分を提供する。
【００１４】
図２に示すように、ビデオ変換装置１００は、信号処理装置１２０及びスイッチングシステム１３０を備える。従来の信号処理装置として構成されているので、信号処理装置１２０は、従来の信号処理装置（図示せず）、例えば１つ以上のマイクロプロセッサ（μＰｓ）、中央演算処理装置（ＣＰＵｓ）、及び／又はデジタル信号プロセッサ（ＤＳＰ）の適切な数及びタイプを備える。信号処理装置１２０は、例えばソフトウェア又はファームウェアのような命令コード、中間の計算結果及び処理装置に関連した他の情報を含む他の従来のタイプの情報を格納又は備えるメモリ装置（図示せず）を同様に含む。メモリ装置は、例えば電気、磁気及び／又は光学記録媒体のような従来タイプのメモリ装置を備える。典型的な記録媒体は、従来の種類のスタティック・ランダム・アクセス・メモリ（ＳＲＡＭｓ）、ダイナミック・ランダム・アクセス・メモリ（ＤＲＡＭｓ）、シンクロナス・ダイナミック・ランダム・アクセス・メモリ（ＳＤＲＡＭｓ）、電気的消去可能リード・オンリ・メモリ（ＥＥＰＲＯＭｓ）、フラッシュメモリ、ハードドライブ（ＨＤＤｓ）、コンパクト・ディスク（ＣＤｓ）、及び／又はデジタル・ビデオディスク（ＤＶＤｓ）を含む。
【００１５】
信号処理装置１２０の制御のもとで作動すると、スイッチングシステム１３０は、従来タイプのスイッチング（又はローティング）システムで構成され、望ましくは、高帯域通信をサポートするのに最適な高速スイッチングシステムを備える。仮に、ギガバイト（例えば、１０００Ｂａｓｅ−Ｘ及び／又は１０００Ｂａｓｅ−Ｔのような）イーサネット標準に従って通信をサポートするように構成されると、例えば、スイッチングシステム１３０は、例えばコンテンツソース３１０（図４Ａ−Ｂ参照）のそれぞれ及び／又は分配システム５００（図６参照）内の他のビデオ変換装置１００のスイッチングシステム１３０のようなシステムリソース６８０（図６参照）のそれぞれを用いて、１０、１００又は１０００メガビット／秒（１０／１００／１０００Ｍｂｐｓ）を含む適切な通信データ転送速度及び／又はデュプレックスの方式、例えば半二重通信方式及び／又は全二重通信方式について取り決める。
【００１６】
好ましくは、物理的な範囲内でシステムリソース６８０のそれぞれと有線で通信をサポートするので、スイッチングシステム１３０は、有線及び／又は無線でシステムリソース６８０と通信をサポートするために構成されている。例えば、スイッチングシステム１３０は、銅線での接続及び／又は光ファイバーでの接続を介して有線で通信をサポートする。望ましくは、光ファイバーでの接続は、トランキングされる。スイッチングシステム１３０は、２００５年５月６日に出願された「ＳＹＳＴＥＭ  ＡＮＤ  ＭＥＴＨＯＤ  ＦＯＲ  ＭＡＮＡＧＩＮＧ  ＣＯＮＴＥＮＴ  ＯＮ  ＭＯＢＩＬＥ  ＰＬＡＴＦＯＲＭＳ」（出願番号１１／１２３，３２７）とタイトル付けられた係属中の米国特許出願及び２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）とタイトル付けられた係属中の米国特許出願に記載されている。
【００１７】
例示の目的で図２に関連した２つの入力ＣＯＭポート１１２Ａ、１１２Ｂを加えて記載し、スイッチングシステム１３０は、いくつかのＣＯＭポート１１０で構成される。
さらに、ＣＯＭポート１１０は、スイッチングシステム１３０とシステムリソース６８０との間の一双方向通信及び／又は二双方向通信の通信信号２００を送受信される。言い換えれば、スイッチングシステム１３０は、無制限に入力ＣＯＭポート１１２Ａ、１１２Ｂを含む各入力ＣＯＭポート１１２を経由して通信信号２００を送信及び／又は受信する。
【００１８】
例えば、入力ＣＯＭポート１１２Ａは、コンテンツソース３１０Ａ（図４Ａ−Ｂ参照）から受信通信信号２１０Ａを受信する。一方、入力ＣＯＭポート１１２Ｂは、コンテンツソース３１０Ｂ（図４Ａ−Ｂ参照）から受信通信信号２１０Ｂを受信する。受信通信信号２１０Ａ、２１０Ｂは、同時に情報コンテンツを異なる回線で供給しても良い。望ましくは、入力ＣＯＭポート１１２Ａを経由して受信される受信通信信号２１０Ａは、通信信号２１０Ｂとしてスイッチングシステム１３０を経由してＣＯＭポート１１２Ｂに供給される。言い換えれば、仮に入力ＣＯＭポート１１２Ａが上述したようにコンテンツソース３１０Ａから受信通信信号２１０Ａを受信すると、スイッチングシステム１３０は、入力ＣＯＭポート１１２Ｂに受信通信信号２１０Ａを送信する。その結果、スイッチングシステム１３０によりビデオ変換装置１００は、１つ以上の他のビデオ変換装置１００に受信通信信号２１０Ａを分配することができる。
【００１９】
スイッチングシステム１３０は、図２に示すように、信号処理装置１２０のスイッチングポート１２２に受信通信信号２１０Ａ、２１０Ｂを同時に送信する。受信通信信号２１０Ａ、２１０Ｂを受信すると、信号処理装置１２０は、受信通信信号２１０Ａ、２１０Ｂを１つ以上の標準ビデオ信号２３０及び／又は強化されたビデオ信号２２０に処理する。仮に受信通信信号２１０Ａがイーサネット信号を含むと、例えば、信号処理装置１２０は、強化されたベースバンドビデオ信号を提供するために受信通信信号２１０Ａをデコードすることによって情報コンテンツのビデオ情報部分を強化する。同時に、信号処理装置１２０は、情報コンテンツのビデオ情報部分を標準ベースバンドビデオ信号に変換する。強化されたベースバンドビデオ信号は、強化されたビデオ信号２２０として少なくとも１つの出力ＣＯＭポート１１４に送信される。一方、標準ベースバンドビデオ信号は、標準ビデオ信号２３０として少なくとも１つの出力ＣＯＭポート１１６に送信される。その結果、ビデオ変換装置１００は、強化されたビデオ信号２２０及び／又は標準ビデオ信号２３０を１つ以上のビデオ表示装置３４２（図５参照）に表示することができる。
【００２０】
図２に示すように、信号処理装置１２０は、強化されたビデオ信号２２０及び／又は標準ビデオ信号２３０に変換し、中間ビデオ信号２３２を送信するビデオポート１２４を少なくとも１つ以上含む。各ビデオポート１２４は、中間ビデオ信号２３２をエンコードするビデオエンコーダ装置１４０と接続され通信される。ビデオエンコーダ装置１４０は、関連するビデオポート１２４から中間ビデオ信号２３２を受信し、受信された中間ビデオ信号２３２をエンコードしてエンコードされた中間ビデオ信号２３４を提供する。従来のビデオエンコーダ装置のように、ビデオエンコーダ装置１４０は、受信された中間ビデオ信号２３２をエンコードして、従来の方法でエンコードされた中間ビデオ信号２３４を提供する。
【００２１】
同様に、複数のビデオエンコーダ装置１４０は、関連するエンコードされた中間ビデオ信号２３４を多重化するビデオ多重変換装置１５０と接続され通信される。ビデオ多重変換装置１５０は、各関連するビデオエンコーダ装置１４０からエンコードされた中間ビデオ信号２３４を受信し、受信したエンコードされた中間ビデオ信号２３４を多重化して標準ビデオ信号２３０を提供する。ビデオ多重変換装置１５０は、従来のビデオ多重変換装置を備え、複数の受信したエンコードされた中間ビデオ信号２３４を多重化して、従来の方法で標準ビデオ信号２３０を提供する。上述のように、標準ビデオ信号２３０は、合成ビデオ信号として提供され、１つ以上のビデオ表示装置３４２（図５参照）に分配するために出力ＣＯＭポート１１６に送信される。
【００２２】
ビデオ多重変換装置１５０は、設定されたいずれかのビデオエンコーダ装置１４０からエンコードされた中間ビデオ信号２３４を受信することができる。一方、各ビデオエンコーダ装置１４０は、関連するエンコードされた中間ビデオ信号２３４を設定されたビデオ多重変換装置１５０に同時に送信することができる。さらに、１つ以上のビデオエンコーダ装置１４０は、強化されたビデオ信号２２０として関連するエンコードされた中間ビデオ信号２３４を選択された出力ＣＯＭポート１１４に送信することができる。エンコードされた中間ビデオ信号２３４は、例えば合成ビデオ信号として選択された出力ＣＯＭポート１１４に送信することができる。その結果、選択された出力ＣＯＭポート１１４は、上述したように１つ以上のビデオ表示装置３４２に分配するために強化されたビデオ信号２２０を送信することができる。
【００２３】
上述された方法で、信号処理装置１２０は、情報コンテンツのビデオ情報部分を強化して従来タイプの強化されたビデオ信号を提供することができる。図２に示すように、例えば、信号処理装置１２０は、情報コンテンツのビデオ情報部分をデジタル形式で中間ビデオ信号２３６に変換することができる。信号処理装置１２０は、デジタルポート１２６を少なくとも１つ含み、中間ビデオ信号２３６をデジタルの強化されたビデオ信号２２０’としてデジタル用出力ＣＯＭポート１１４’に送信することができる。送信する中間ビデオ信号２３２を送信するビデオポート１２４を少なくとも１つ以上含む。デジタルポート１２６及びデジタル用出力ＣＯＭポート１１４’は、図２に示すように、直接に接続される及び／又は関連する出力ＣＯＭポート１１４、１１６に上述した方法で１つ以上の中間装置を介して直接に接続される。その結果、デジタル用出力ＣＯＭポート１１４’は、上述したように１つ以上のビデオ表示装置３４２に分配するためにデジタルの強化されたビデオ信号２２０’を送信することができる。
【００２４】
デジタル用出力ＣＯＭポート１１４’は、従来のデジタル通信（インターフェイス）バス、例えばＲＳ−２３２通信バス及び／又はＩＥＥＥ−４８８バスで構成していることが望ましい。それ故に、デジタル用出力ＣＯＭポート１１４’は、信号処理装置１２０と各関連するビデオ表示装置３４２との間を一双方向通信及び／又は二双方向通信をサポートすることができる。二双方向通信をサポートすることで、デジタル用出力ＣＯＭポート１１４’は、１つ以上のビデオ表示装置３４２に分配するためデジタルの強化されたビデオ信号２２０’を送信するだけでなく、信号処理装置１２０と各関連するビデオ表示装置３４２との間の制御信号２４０を通信することができる。その結果、デジタル用出力ＣＯＭポート１１４’は、ビデオ表示装置３４２のそれぞれを制御するためのデジタル制御インターフェイスを構成する。ビデオ変換装置１００は、ビデオ表示装置３４２の個々と制御信号２４０で通信する及び／又はビデオ表示装置３４２のグループで通信する方法を含む従来の方法でビデオ表示装置３４２を制御することができる。
【００２５】
望ましくは、ビデオ変換装置１００は、選択された情報コンテンツの音声情報部分を同時に強化することができる。図２に示すように、受信通信信号２１０Ａを介して提供される情報コンテンツは、音声情報を含む。受信通信信号２１０Ａが上述の詳細な方法で信号処理装置１２０に提供されると、信号処理装置１２０は、選択された情報コンテンツの音声情報部分を従来の方法で処理して中間音声信号２３８を提供する。信号処理装置１２０は、音声ポート１２８を少なくとも１つ含み、中間音声信号２３８を強化された音声信号２６０として音声用出力ＣＯＭポート１１８に送信することができる。強化された音声信号２６０は、音声情報の送信に適した従来の信号のタイプ、フォーマット、及び／又はプロトコルで提供される。望ましくは、音声情報は、多くの音声チャンネルを含む。言い換えれば、音声情報は、モノラル音声情報及び／又はステレオ音声情報で提供される。
【００２６】
音声ポート１２８及び音声用出力ＣＯＭポート１１８は、直接に接続されているが、ビデオ変換装置１００は、中間音声信号２３８を強化された音声信号２６０に変換する音声処理装置１６０を含んでいることが望ましい。音声ポート１２８は、音声処理装置１６０に接続され通信される。次に、音声処理装置１６０は、音声ポート１２８から中間音声信号２３８を受信して強化された音声信号２６０を提供する。従来の音声処理装置、例えば増幅器システム及び／又は音声フィルタリングシステムなどのように、音声処理装置１６０は、受信した中間音声信号２３８を処理して、従来の方法で強化された音声信号を提供する。ビデオ用出力ＣＯＭポート１１４、１１６に関連した記載の方法で、音声用出力ＣＯＭポート１１８は、１つ以上の音声装置３４４（図５参照）に分配するために強化された音声信号２６０を送信する。望ましくは、音声用出力ＣＯＭポート１１８は、音声機能を備えるビデオ表示装置３４２に強化された音声信号２６０を同時に送信する。
【００２７】
図３において、ビデオ変換装置１００は、スイッチングシステム１３０ひいては信号処理装置１２０を少なくとも部分的に迂回するバイパスシステム１７０を少なくとも１つ含んでいることが望ましい。バイパスシステム１７０は、従来の方法で構成され、上述した２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）とタイトル付けられた係属中の米国特許出願に記載されている方法で構成されているのが望ましい。たとえ仮に、変換装置の構成が、例えばビデオ変換装置１００の信号処理装置１２０及び／又はスイッチングシステム１３０等が欠けていても、バイパスシステム１７０よりビデオ変換装置１００は、選択された入力ＣＯＭポート１１２Ａ、１１２Ｂの間で通信信号２１０Ａ、２１０Ｂの通信を有利に行う。言い換えれば、バイパスシステム１７０は、より正確で信頼性のある通信に役立つ付加情報をビデオ変換装置１００に提供する。
【００２８】
バイパスシステム１７０は、図２に関連する上述で詳細に記載された方法で信号処理装置１２０の制御のもとで機能する。ビデオ変換装置１００が通常の動作モードである場合には、システムは機能する。
バイパスシステム１７０は、ビデオ変換装置１００が失敗モード、例えば変換装置電源２５４（図３Ｂ参照）喪失した場合には、選択された入力ＣＯＭポート１１２Ａ、１１２Ｂを接続して、自動的に駆動するためにバイアスをかけられる。図３に示されるように、１つのバイパスシステム１７０が一対の入力ＣＯＭポート１１２Ａ、１１２Ｂを選択的に接続して記載されているが、ビデオ変換装置１００は、複数のバイパスシステム１７０を含み、各バイパスシステム１７０は、適切な数の入力ＣＯＭポート１１２の間で通信信号２１０を通信する。これにより、バイパスシステム１７０により正常に機能しないビデオ変換装置１００を迂回する。その結果、入力ＣＯＭポート１１２は、通信を中断することなくバイパスシステム１７０を経由して通信信号２１０を通信する。
【００２９】
図３において、ビデオ変換装置１００は、電源装置１８０をさらに含み、選択されたシステムリソース６８０（図６参照）、例えばビデオ表示装置３４２（図５参照）及び／又は音声装置（図５参照）等に電力信号２５０を送信する。典型的な電源装置１８０は、上述した２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）とタイトル付けられた係属中の米国特許出願に記載されている。図３Ｂの電源装置１８０は、複数の電源ポートを有し、２つ以上の入力ポート１９２、１９２’及び少なくとも１つ表示用電源ポート１９４、１９６、１９６’を含んでいる。従来の方法で構成されているので、電源装置１８０は、適当な数の入力ポート１９２を含み、各入力ポートは、選択されたシステムリソース６８０（図６参照）、例えば他のビデオ変換装置１００から入力信号２５２Ａを受信する。入力信号２５２Ａは、ほぼ一定の入力信号で構成され、望ましくは、直流電源（ＤＣ）及び／又は交流電源（ＡＣ）を含む適切な電圧レベル及び／又は電流レベルで構成される。ビデオ変換装置１００がイーサネット通信をサポートしている場合には、電源装置１８０は、例えばイーサネット信号から得られるパワー・オーバ・イーサネット（ＰｏＥ）等のような入力信号２５２Ａ’を受信する入力ポート１９２’を少なくとも１つ含む。
【００３０】
電源装置１８０は、適当な方法で入力信号２５２、２５２Ａを処理し、出力ポート１９４を経由して出力信号２５６を送信する。各出力信号２５６は、直流電源（ＤＣ）及び／又は交流電源（ＡＣ）を含む電圧レベル及び／又は電流レベルで構成され、システムリソース６８０が電源装置１８０から出力信号２５６を適切に受信する。電源装置１８０の出力ポート１９４は、１つ以上のシステムリソース６８０に出力信号２５６を送信する。望ましくは、電源装置１８０は、図３Ｂに示すように、ビデオ変換装置１００の信号処理装置、スイッチングシステム１３０，及び／又はバイパスシステム１７０（図３Ａ参照）を含む様々な変換装置の構成要素に１つ以上の内部電圧、例えば変換装置電源２５４を備える。
【００３１】
図３Ｂに示されるように、例えば、入力ポート１９２は、出力ポート１９４と接続される。その結果、出力ポート１９４は、出力信号２５６として入力信号２５２Ａ’を選択されたシステムリソース６８０に送信する。電源装置１８０は、１つ以上の入力ポート１９２と接続する表示用電源ポート１９６を含む。それ故に、各表示用電源ポート１９６は、選択されたビデオ表示装置３４２及び／又は音声装置３４４に表示装置用電力信号２５８を送信する。図３Ｂの電源装置１８０は、入力信号２５２を受信して変換装置電源２５４に送信する電力変換装置１８２及び／又表示装置用電力信号２５８’を含む。
【００３２】
電力変換装置１８２は、例えば電圧制御装置及び／又はＤＣ−ｔｏ−ＤＣ変換装置等のような従来の電力変換装置で構成される。望ましくは、電力変換装置１８２は、複数の余剰電力変換の副装置（図示せず）として構成され、電力変換装置１８２は、たとえ仮に、電力変換の副装置の１つが故障しても、変換装置電源２５４及び／又は示装置用電力信号２５８’を適切に提供することができる。同様に、電力変換装置１８２は、複数の選択されたシステムリソース６８０から入力信号２５２を受信するので、たとえ仮に、選択されたシステムリソース６８０の１つが故障しても、電源装置１８０は、変換装置電源２５４及び／又は示装置用電力信号２５８’を適切に提供するので、電源装置１８０の信頼性はさらに保証される。
【００３３】
電力変換装置１８２は、入力ポート１９２、１９２’及び／又は表示用電源ポート１９６’を直接に及び／又は間接に接続させる。図３Ｂに示されるように、例えば電力変換装置１８２は、入力システム１８４を経由して入力ポート１９２と接続される。一方、出力システム１８６は、電力変換装置１８２及び表示用電源ポート１９６’を接続する。複数の選択されたシステムリソース６８０から入力信号２５２を受信すると、入力システム１８４は、入力信号２５２を合成して電力変換装置１８２に適した１つの入力信号にする。入力システム１８４は、従来の入力電圧保護、例えば過電圧保護及び電磁波妨害（ＥＭＩ）等のような入力電圧保護を構成する。例えば入力システム１８４は、ある選択されたシステムリソース６８０から他の選択されたシステムリソース６８０に、入力信号２５２を抑制するために、例えばダイオードアレイ等のようなフィードバック保護回路を含む。
【００３４】
同様に、出力システム１８６は、電力変換装置１８２の余剰電力変換の副装置のそれぞれによって供給される個々の出力電圧を受け取る。また、出力システム１８６は、個々の出力電圧を合わせて表示装置用出力信号２５６’を形成する。形成された表示装置用出力信号２５６’は、例えば選択されたビデオ表示装置３４２及び／又は音声装置３４４等のようなシステムリソース６８０に適している。入力システム１８４に関して記載されたように、出力システム１８６は、従来の入力電圧保護、例えば過電圧保護及び電磁波妨害（ＥＭＩ）等のような入力電圧保護を構成する。出力システム１８６は、一方の余剰電力変換の副装置から他方の電力変換装置１８２の余剰電力変換の副装置に個々の出力電圧を抑制するために、例えばダイオードアレイ等のようなフィードバック保護回路を含む。出力システム１８６は、表示装置用出力信号２５６’が供給されるシステムリソース６８０に起きた故障による悪影響から電力変換装置１８２を保護することができる。
【００３５】
ビデオ変換装置１００は、例えばビルディングのような固定された建物に配置される情報システムと同時に用いられるので、ビデオ変換装置１００は、運搬できる装置に適用される。図４Ａ−Ｂにおいて、例えばビデオ変換装置１００は、様々な車両４００に搭載される車両情報装置３００に適用される。典型的な型の車両には、自動車４１０（図４Ａ参照）、航空機（図４Ｂ参照）、バス、レクリエーショナル・ビークル、ボート及び／又は機関車などが含まれる。図４Ｂに示されるような航空機４２０に搭載される場合には、例えば車両情報装置３００は、従来の旅客機内の娯楽システム、例えばカリフォルニア州レイクフォレストにあるパナソニック・アビオニクス社（以前は、松下アビオニクス社で知られた）で製造された旅客機内の娯楽システムであるシリーズ２０００、３０００、ｅＦＸ及び／又はｅＸ２であった。
【００３６】
図４Ａ−Ｂに示されるように、車両情報装置３００は、１つ以上の従来のコンテンツソース３１０から情報コンテンツを示し、従来のコンテンツソース３１０は、例えば車両４００に搭載されるサーバシステム３１０Ａのような内部コンテンツソース及び／又は車両４００の外部からのリモートコンテンツソース３１０Ｂを含む。例えば、コンテンツソース３１０は、２００４年２月４日に出願された「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２，５６５）とタイトル付けられた係属中の米国特許出願、２００５年５月６日に出願された「ＳＹＳＴＥＭ  ＡＮＤ  ＭＥＴＨＯＤ  ＦＯＲ  ＭＡＮＡＧＩＮＧ  ＣＯＮＴＥＮＴ  ＯＮ  ＭＯＢＩＬＥ  ＰＬＡＴＦＯＲＭＳ」（出願番号１１／１２３，３２７）とタイトル付けられた係属中の米国特許出願、２００５年６月１５日に出願された「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＩＮＦＯＲＭＡＴＩＯＮ  ＣＯＮＴＥＮＴ  ＤＵＲＩＮＧ  ＴＲＡＶＥＬ」（出願番号１１／１５４，７４９）とタイトル付けられた係属中の米国特許出願、及び２００５年１１月７日に出願された「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９，３７８）とタイトル付けられた係属中の米国特許出願に記載されている。
【００３７】
情報コンテンツは、例えば記録された（又は定時から遅れて）情報コンテンツ及び／又はライブ（リアルタイム）情報コンテンツのような様々な情報コンテンツを含む。また、情報コンテンツは、２００４年２月４日に出願された「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２，５６５）とタイトル付けられた係属中の米国特許出願、２００５年６月１５日に出願された「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＩＮＦＯＲＭＡＴＩＯＮ  ＣＯＮＴＥＮＴ  ＤＵＲＩＮＧ  ＴＲＡＶＥＬ」（出願番号１１／１５４，７４９）とタイトル付けられた係属中の米国特許出願、及び２００５年１１月７日に出願された「ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ」（出願番号１１／２６９，３７８）とタイトル付けられた係属中の米国特許出願に記載されているように構成される。望ましくは、情報コンテンツは、「ＭＥＴＨＯＤ  ＦＯＲ  ＤＩＳＰＬＡＹＩＮＧ  ＩＮＴＥＲＡＣＴＩＶＥ  ＦＬＩＧＨＴ  ＭＡＰ  ＩＮＦＯＰＭＡＴＩＯＮ」（特許番号６，６６１，３５３）とタイトル付けられた米国特許に記載されているような地理情報コンテンツを含む。例えば衛星放送によるテレビ番組及び／又はラジオ番組のような娯楽コンテンツに加えて、情報コンテンツは、例えばリアルタイムによるインターネット接続及び又は電気通信のような双方向の通信を含む。また、電気通信は、「ＴＥＬＥＣＯＭＭＵＮＩＣＡＴＩＯＮＳ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ」（特許番号５，５６８，４８４）とタイトル付けられた米国特許に記載されているように構成される。
【００３８】
コンテンツソース３１０から情報コンテンツを受信すると、車両情報装置３００は、従来の方法で、望ましくは無線通信でコンテンツソース３１０と通信する。図４Ａ−Ｂに示されるように、例えば車両情報装置３００は、アンテナ装置３２０及び送受信機システム３３０を備え、リモートコンテンツソース３１０Ｂから情報コンテンツを受信することができる。アンテナ装置３２０は、例えば航空機４２０の機体４３０の外面４４０のような車両４００の外部に配置される。車両情報装置３００は、少なくとも１つの従来のサーバシステム３１０Ａを含む。また、従来のサーバシステム３１０Ａは、例えば車両情報装置３００及び／又は前もってプログラムされたコンテンツ及び／又は受信した情報コンテンツを格納した少なくとも１つのメディア（又はファイル）サーバシステムのシステム全体の制御機能を備える情報システム制御装置３１２である。サーバシステム３１０Ａは、１つ以上の周辺機器である記憶媒体装置（図示せず）と通信する。記憶媒体装置は、例えばデジタル・ビデオ・ディスク（ＤＶＤ）装置及び／又はコンパクト・ディスク（ＣＤ）装置のような光学媒体デバイス、ビデオ・カセット・レコーダ（ＶＣＲ）装置及び／又はハード・ディスク・ドライブ（ＨＤＤ）装置のような磁気媒体デバイスを含み、前もってプログラムされたコンテンツ及び／又は受信した情報コンテンツを格納することができる。
【００３９】
１つ以上の乗客用インターフェイス装置３４０は、前もってプログラムされたコンテンツ及び／又は受信した情報コンテンツを選択し、選択された前もってプログラムされたコンテンツ及び／又は情報コンテンツを表示する。乗客用インターフェイス装置３４０は、従来の乗客用インターフェイスを備える。また、乗客用インターフェイス装置３４０は、２００５年６月１５日に出願された「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＩＮＦＯＲＭＡＴＩＯＮ  ＣＯＮＴＥＮＴ  ＤＵＲＩＮＧ  ＴＲＡＶＥＬ」（出願番号１１／１５４，７４９）とタイトル付けられた係属中の米国特許出願、及び２００５年４月１９日に出願された「ＳＹＳＴＥＭ  ＡＮＤ  ＭＥＴＨＯＤ  ＦＯＲ  ＰＲＥＳＥＮＴＩＮＧ  ＨＩＧＨ−ＱＵＡＬＩＴＹ  ＶＩＤＥＯ  ＴＯ  ＰＡＳＳＥＮＧＥＲＳ  ＯＮ  Ａ  ＭＯＢＩＬＥ  ＰＬＡＴＦＯＲＭ」（出願番号６０／６７３，１７１）とタイトル付けられた係属中の米国特許出願に記載されているように構成される。
【００４０】
乗客用インターフェイス装置３４０は、所定の基準に関連して２つ以上のインターフェイスグループに分割される。仮に、車両情報装置３００が航空機４２０に搭載されると、例えば第１のインターフェイスのグループは、航空機４２０のファーストクラスと関連づけられる。一方、第２のインターフェイスのグループは、航空機４２０のエコノミークラスと関連づけられる。同様に、第１及び第２のインターフェイスのグループのそれぞれは、航空機４２０の乗務員と乗客と関連づけられる。第１のインターフェイスのグループの乗客用インターフェイス装置３４０の機能性は、第２のインターフェイスのグループの乗客用インターフェイス装置３４０の機能性と異なる。例えば、航空機４２０のファーストクラスに関連づけられた乗客用インターフェイス装置３４０は、航空機４２０のエコノミークラスに関連づけられた乗客用インターフェイス装置３４０では利用できないプレミアムコンテンツにアクセスすることができる。航空機４２０のエコノミークラスに関連づけられた乗客用インターフェイス装置３４０は、選択された（又はプレミアム）情報コンテンツにアクセスする前に、料金の支払いを必要とする。一方、航空機４２０のファーストクラスに関連づけられた乗客用インターフェイス装置３４０は、情報コンテンツにアクセスするために料金の支払いを必要としない。
【００４１】
図５は、車両４００の客室４６０を示し、例えば車両情報装置３００が搭載された自動車４１０Ａ（図４Ａ参照）及び／又は航空機４２０（図４Ｂ参照）である。２００４年２月４日に出願された「ＳＹＳＴＥＭ  ＡＮＤ  ＭＥＴＨＯＤ  ＦＯＲ  ＤＯＷＮＬＯＡＤＩＮＧ  ＦＩＬＥＳ」（出願番号１０／７７２，５６５）とタイトル付けられた係属中の米国特許出願に記載されているように、客室４６０は、複数の客席４５０及び少なくとも１つ代表的な乗客用インターフェイス装置３４０を備える。各乗客用インターフェイス装置３４０は、選択された情報コンテンツのビデオ部分を視覚的に表示するビデオ表示装置３４２及び／又は情報コンテンツの音声部分を聴覚的に出力する音声装置３４４を含む。図５に示されるように、ビデオ表示装置３４２は、１つ以上の客室頭上用表示装置３４２Ａ及び／又は選択された客席４５０の背面４５２に配置された１つ以上のシートバック表示装置３４２Ｂとして設けられる。
【００４２】
図５に示される音声装置３４４は、１つ以上の頭上用スピーカ装置３４４Ａ及び／又は客席４５０に配置された座席用スピーカ装置３４４Ｂを含む。例えば、選択された客席４５０のヘッドレストに設けられたヘッドレスト用スピーカ装置３４４Ｂ及び／又は客席４５０の土台部分に配置された土台取付用スピーカ装置（図示せず）として含まれる客席４５０における座席用スピーカ装置は、適切な方法で設けられる。音声装置３４４は、ヘッドホン（図示せず）を介して情報コンテンツを良く聞き取れるように、例えば音声出力ポートのような音声用ＣＯＭポート３４６を１つ以上含む。音声用ＣＯＭポート３４６は、例えば、図５に示すような客席４５０の肘掛け部４５８に構成される。
【００４３】
情報コンテンツの表示は、従来の方法で制御される。車両情報装置３００は、例えば少なくとも１つ乗務員用制御盤（図示せず）を備え、乗務員用制御盤は、情報コンテンツの表示の集中的管理を行う。乗客用インターフェイス装置３４０は、客席４５０で個別に管理を行う。例えば、乗客用のコントロールは、客席４５０の肘掛け部４５８に配置される。及び／又はシートバック表示装置３４２Ｂは、タッチ画面の表示装置を備える。車両４００に搭乗して移動する乗客（図示せず）は、前もってプログラムされた情報及び／又は移動中に受信した情報コンテンツを選択して楽しむことができる。
【００４４】
図４Ａ−Ｂに戻って、車両情報装置３００のアンテナ装置３２０及び送受信機３３０は、サーバシステム３１０Ａ及び分配システム５００を経由して乗客用インターフェイス装置３４０と通信するように搭載されている。分配システム５００は、従来の方法で構成され、有線及び無線通信を含む従来タイプの通信をサポートしている。また、有線及び無線通信を含む従来タイプの通信は、２００５年６月１５日に出願された「ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＩＮＦＯＲＭＡＴＩＯＮ  ＣＯＮＴＥＮＴ  ＤＵＲＩＮＧ  ＴＲＡＶＥＬ」（出願番号１１／１５４，７４９）とタイトル付けられた係属中の米国特許出願に記載されている。
【００４５】
分配システム５００は、適切な接続形態、プロトコル及び／又は構造を備える。システムリソース６８０は、幾何学的配置で構成されており、共通ネットワークの接続形態は、メッシュ型、スター型、バス型、リング型及びデイジーチェーン型のネットワーク接続形態を含む。望ましくは、分配システム５００の接続形態は、例えばツリー型のネットワーク接続形態のような複合型のネットワーク接続形態である。ネットワークプロトコルは、システムリソース６８０が分配システム５００を経由して通信することで、一組の共通の規則及び信号を定義する。本実施形態のネットワークプロトコルは、イーサネット及びトークン・リングのネットワークプロトコルを含む。一方、ピアツーピア及びクライアント／サーバネットワーク構造は、典型的なネットワーク構造の例です。上述したネットワークシステムの型、接続形態、プロトコル及び構造は、単なる典型例で限定されるものではない。
【００４６】
前もってプログラムされたコンテンツ及び／又は受信した情報コンテンツは、２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）及び「ＩＮＴＥＧＲＡＴＥＤ  ＶＩＤＥＯ  ＡＮＤ  ＡＵＤＩＯ  ＳＩＧＮＡＬ  ＤＩＳＴＲＩＢＵＴＩＯＮ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ」（特許番号５，５９６，６４７  ５，６１７，３３１  ５，９５３，４２９）とタイトル付けられた米国特許に記載された方法を含んだ適切な方法で車両情報装置３００を通って分配される。望ましくは、高速データ通信を介して分配される。
【００４７】
典型的な車両情報装置３００を図６に示す。車両情報装置３００は、ヘッドエンドシステム３５０及び分配システム６００を経由して通信される複数の乗客用インターフェイス装置３４０（図４Ａ−Ｂ参照）を含む。ヘッドエンドシステム３５０は、例えばサーバシステム３１０Ａ及び／又はこれまでに詳細に記載されたように互いに構成されたアンテナ装置３２０及び送受信機３３０のようなコンテンツソース３１０を少なくとも１つ有している。分配システム６００は、上述したような従来の方法で構成されるけれど、図６に示される分配システム６００は、２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）及び「ＩＮＴＥＧＲＡＴＥＤ  ＶＩＤＥＯ  ＡＮＤ  ＡＵＤＩＯ  ＳＩＧＮＡＬ  ＤＩＳＴＲＩＢＵＴＩＯＮ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ」（特許番号５，５９６，６４７  ５，６１７，３３１  ５，９５３，４２９）とタイトル付けられた米国特許に記載された方法で構成される。その結果、分配システム６００は、複数のエリア用分配箱（ＡＤＢｓ）６２０、複数の床用分配箱（ＦＤＢｓ）６３０及び複数の通信接続６５０を経由して通信される複数の座席用電子機器箱（ＳＥＢｓ）（及び／又はプレミアム座席用電子機器箱（ＰＳＥＢｓ）６４０として構成される。
【００４８】
図６に示されるように、分配システム６００は、スイッチングシステム６１０を含み、分配システム６００とヘッドエンドシステム３５０との間のインターフェイスである。スイッチングシステム６１０は、例えばイーサネットスイッチングシステムのような従来のスイッチングシステムで構成され、ヘッドエンドシステム３５０をエリア用分配箱６２０と接続させる。望ましくは、スイッチングシステム６１０は、通信接続６５０を経由してエリア用分配箱６２０のそれぞれと接続する。
【００４９】
望ましくは、スイッチングシステム６１０は、複数の相互接続したスイッチング・サブシステム（図示せず）として構成される。仮に、スイッチングシステム６１０が複数の相互接続したスイッチング・サブシステムとして構成されと、相互接続したスイッチング・サブシステムは、通信接続６５０を経由してエリア用分配箱６２０のそれぞれと通信される。次に、エリア用分配箱６２０のそれぞれは、複数の通信接続６５０を経由して複数の床用分配箱６３０と接続される。エリア用分配箱６２０及び関連した床用分配箱６３０は、従来の形態で接続されているが、望ましくは、関連した床用分配箱６３０は、図６に示されるようにエリア用分配箱６２０をスター型ネットワーク接続形態の中心に配置される。
【００５０】
各床用分配箱６３０は、複数のデイジーチェーン型の座席用電子機器箱６４０と接続され、情報を提供する。多数で個別に配置した座席用電子機器箱６４０は、システムによって異なるが、図６に示される床用分配箱６３０は、２つのデイジーチェーン型の座席用電子機器箱６４０と接続され、情報を提供する。デイジーチェーン型の座席用電子機器箱６４０のそれぞれは、適切な数の座席用電子機器箱６４０を含み、２つのデイジーチェーン型の座席用電子機器箱６４０を含むように図６に記載されている。次に、座席用電子機器箱６４０は、複数の乗客用インターフェイス装置３４０（図６Ａ−Ｂ参照）通信するように配置されている。
【００５１】
床用分配箱６３０は、ルーティングシステムとして有利に設けられ、２００６年３月２９日に出願された「ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬ  ＶＩＡ  Ａ  ＤＡＴＡ  ＤＩＳＴＲＩＢＵＴＩＯＮ  ＮＥＴＷＯＲＫ」（出願番号１１／２７７，８９６）とタイトル付けられた米国特許に記載されたように相互接続されている。望ましくは、分配システム６００は、少なくとも１つＦＤＢ用内部ポートバイパス接続６６０及び／又は少なくとも１つＳＥＢ用ループバック接続６７０を含む。それぞれのＦＤＢ用内部ポートバイパス接続６６０は、通信接続であり、別のエリア用分配箱６２０と接続した床用分配箱６３０と直接に通信できる。それぞれのＳＥＢ用ループバック接続６７０は、図６に示すように、選択された床用分配箱６３０の間でデイジーチェーン型の座席用電子機器箱６４０における座席用電子機器箱６４０の少なくとも１つと直接に接続する通信接続６５０である。それ故に、それぞれのＳＥＢ用ループバック接続６７０は、関連する床用分配箱６３０と接続されたデイジーチェーン型の座席用電子機器箱６４０の間に折り返し径路を形成する。
【００５２】
図６の車両情報装置３００は、少なくとも１つビデオ変換装置１００をさらに含む。個別のシステムリソース６８０として図６に記載されているが、各ビデオ変換装置１００は、別の他のシステムリソース６８０と少なくとも部分的に組み合わせられている（又は結合されている）。例えば、選択されたビデオ変換装置１００は、関連するエリア用分配箱６２０、床用分配箱６３０、座席用電子機器箱６４０及び／又はプレミアム座席用電子機器箱（図示せず）と結合されている。エリア用分配箱６２０は、デイジーチェーン型の配置のビデオ変換装置１００Ａ、１００Ｂと接続されている。その結果、エリア用分配箱６２０Ａは、ビデオ変換装置１００Ｂの入力ＣＯＭポート１１２Ａに受信通信信号２１０ＡＢを送信する。
【００５３】
次に、ビデオ変換装置１００Ｂの入力ＣＯＭポート１１２Ｂは、ビデオ変換装置１００Ａの入力ＣＯＭポート１１２Ａに受信通信信号２１０ＡＢを送信する。その結果、それぞれのビデオ変換装置１００Ａ、１００Ｂは、複数のビデオ表示装置３４２のそれぞれに複数の標準ビデオ信号２３０を送信することができる。言い換えれば、複数のビデオ表示装置３４２は、同じビデオ画像（図示せず）及び／又は異なるビデオ画像（図示せず）を表示することが可能になる。
【００５４】
同様に、エリア用分配箱６２０Ｂは、デイジーチェーン型の配置のビデオ変換装置１００Ｃ、１００Ｄと接続されている。エリア用分配箱６２０Ａに関連した記載の方法で、エリア用分配箱６２０Ｂは、ビデオ変換装置１００Ｃの入力ＣＯＭポート１１２Ａに受信通信信号２１０ＣＤを送信する。次に、ビデオ変換装置１００Ｃの入力ＣＯＭポート１１２Ｂは、ビデオ変換装置１００Ｄの入力ＣＯＭポート１１２Ａに受信通信信号２１０ＣＤを送信する。その結果、それぞれのビデオ変換装置１００Ｃ、１００Ｄは、上述したようにビデオ表示装置３４２にデジタルの強化されたビデオ信号２２０’を送信することができる。
【００５５】
例えば、ビデオ変換装置１００は、適切なシステムリソース６８０と関連付けられて記載され、デイジーチェーン型の配置のビデオ変換装置１００Ｅ、１００Ｆは、座席用電子機器箱６４０Ａに接続され、通信する。エリア用分配箱６２０Ａに関連して記載されたように、座席用電子機器箱６４０Ａは、ビデオ変換装置１００Ｅの入力ＣＯＭポート１１２Ａに受信通信信号２１０ＥＦを送信する。また、ビデオ変換装置１００Ｅの入力ＣＯＭポート１１２Ｂは、ビデオ変換装置１００Ｆの入力ＣＯＭポート１１２Ａに受信通信信号２１０ＥＦを送信する。その結果、それぞれのビデオ変換装置１００Ｅ、１００Ｆは、図６に示すように、複数のビデオ表示装置３４２のそれぞれに複数の標準ビデオ信号２３０を送信することができる。一対のデイジーチェーン型の配置のビデオ変換装置１００として図６に記載されているが、車両情報装置３００は、いくつかのビデオ変換装置１００を含み、その数は、システムによって異なる。
【００５６】
車両情報装置３００内のビデオ変換装置１００の典型的な動作は図７Ａ−Ｄに示される。記載された典型的な動作は、包括的ではなく、本実施形態だけに構成され、限定されるものではない。図７Ａに戻って、例えばビデオ変換装置１００は、ビデオ変換装置１００Ｂ（図６参照）に関連して詳細に上記で記載したように構成されている。ビデオ変換装置１００は、例えばエリア用分配箱６２０Ａ（図６参照）のような選択されたシステムリソース６８０から入力ＣＯＭポート１１２Ａを経由して受信通信信号２１０Ａを受信する。ビデオ変換装置１００の出力ＣＯＭポート１１６は、ビデオ表示装置３４２Ｘ−Ｚと接続され、通信する。その結果、ビデオ変換装置１００は、上述したように、ビデオ表示装置３４２Ｘ−Ｚに標準ビデオ信号２３０Ｘ−Ｚを送信する。望ましくは、ビデオ変換装置１００は、例えばビデオ変換装置１００Ａ（図６参照）のような別の他のシステムリソース６８０に通信信号２１０Ｂとして入力ＣＯＭポート１１２Ｂを経由して受信通信信号２１０Ａを受信する。
【００５７】
図３に関連して記載されたように、ビデオ変換装置１００は、入力ポート１９２を経由して入力信号２５２を受信し、ビデオ表示装置３４２Ｘ−Ｚに表示装置電力信号２５８Ｘ−Ｚを送信する。その結果、ビデオ変換装置１００は、それぞれのビデオ表示装置３４２Ｘ−Ｚに動作電源を供給することができる。ビデオ変換装置１００は、制御信号２４０（図２参照）に関連して記載されたように、ビデオ表示装置３４２Ｘ−Ｚと制御信号２４０Ｘ−Ｚで通信するとして図７Ａに記載されている。例えば、信号処理装置１２０（図２参照）は、ビデオ表示装置３４２Ｘ−Ｚと制御信号２４０Ｘ−Ｚで通信して、例えばビデオ表示装置３４２Ｘ−Ｚの電源のオン及びオフのような遠隔制御を行う。言い換えれば、ビデオ変換装置１００は、個々（分離した）の電線（バス）を介して、それぞれのビデオ表示装置３４２Ｘ−Ｚとそれぞれの制御信号２７０Ｘ−Ｚで通信する。
【００５８】
図７に示すビデオ変換装置１００は、ビデオ変換装置１００Ｂ（図６参照）に関連して詳細に上記で記載したように構成されている。ビデオ変換装置１００の入力ＣＯＭポート１１２Ａは、選択されたシステムリソース６８０から受信通信信号２１０Ａを受信する。一方、ビデオ変換装置１００の出力ＣＯＭポート１１６は、ビデオ表示装置３４２Ｘ−Ｚと接続される。その結果、ビデオ変換装置１００は、ビデオ表示装置３４２Ｘ−Ｚに標準ビデオ信号２３０Ｘ−Ｚを送信し、上述したように、入力ＣＯＭポート１１２Ｂを経由して別の他のシステムリソース６８０に受信通信信号２１０Ａを送信する。図７に示されるように、ビデオ変換装置１００は、入力信号２５２を受信し、ビデオ表示装置３４２Ｘ−Ｚに表示装置電力信号２５８Ｘ−Ｚを送信する。
【００５９】
図７Ｂは、制御信号２４０（図２参照）に関連して上記で記載したように、それぞれのビデオ表示装置３４２Ｘ−Ｚと共通制御信号２４０ＸＹＺで通信するビデオ変換装置１００を示す。図７Ｂに示されるように、デジタル用出力ＣＯＭポート１１４’は、ビデオ表示装置３４２Ｘ−Ｚと共通制御信号２４０ＸＹＺで通信する従来のデジタルＣＯＭ（又はインターフェイス）バスとして配置される。ビデオ表示装置３４２Ｘ−Ｚは、デイジーチェーン型の配置でデジタル用出力ＣＯＭポート１１４’と接続される。その結果、共通制御信号２４０ＸＹＺは、ビデオ表示装置３４２Ｘ−Ｚを通ってビデオ表示装置３４２Ｘ−Ｚに送信される。ビデオ表示装置３４２Ｚは、デイジーチェーン型における最後のビデオ表示装置３４２であり、必要ならば、ラインターミネータ装置２７２を含む。
【００６０】
各ビデオ表示装置３４２Ｘ−Ｚは、所定のアドレスＡＤＤＲＸ−Ｚと関連づけられている。また、共通制御信号２４０ＸＹＺは、共通制御信号２４０ＸＹＺと１つ以上の関連したビデオ表示装置３４２Ｘ−Ｚを結びつけるためにアドレス情報とともに符号化される。ビデオ変換装置１００がビデオ表示装置３４２Ｙに共通制御信号２４０ＸＹＺを送信する場合には、例えばビデオ変換装置１００は、ビデオ表示装置３４２ＹのアドレスＡＤＤＲＹとともにビデオ表示装置３４２Ｘ−Ｚを符号化する。その結果、共通制御信号２４０ＸＹＺを受信すると、ビデオ表示装置３４２Ｘは、アドレスＡＤＤＲＹがビデオ表示装置３４２ＸのアドレスＡＤＤＲＸと一致しないので、共通制御信号２４０ＸＹＺを無視する。
【００６１】
次に、ビデオ表示装置３４２Ｘは、ビデオ表示装置３４２Ｙに共通制御信号２４０ＸＹＺを送信する。共通制御信号２４０ＸＹＺとともに符号化されたアドレスＡＤＤＲＹがビデオ表示装置３４２ＹのアドレスＡＤＤＲＹと一致するので、ビデオ表示装置３４２Ｙは、共通制御信号２４０ＸＹＺを処理することができる。ビデオ表示装置３４２Ｙは、ビデオ表示装置３４２Ｚに共通制御信号２４０ＸＹＺを送信する。ビデオ表示装置３４２Ｚは、アドレスＡＤＤＲＹがビデオ表示装置３４２ＺのアドレスＡＤＤＲＺと一致しないので、共通制御信号２４０ＸＹＺを無視する。ビデオ表示装置３４２Ｘ−Ｚは、ビデオ変換装置１００に送信された共通制御信号２４０ＸＹＺにアドレス情報を符号化することができる。
【００６２】
図７Ｃを参照して、ビデオ変換装置１００は、標準ビデオ信号２３０及び強化されたビデオ信号２２０をビデオ表示装置３４２に送信するように記載されている。図７Ａ−Ｂに関連して上記で記載したように、ビデオ変換装置１００は、選択されたシステムリソース６８０（図６参照）から受信通信信号２１０Ａを受信し、入力ＣＯＭポート１１２Ｂを経由して別の他のシステムリソース６８０に受信通信信号２１０Ａを送信する。ビデオ変換装置１００は、入力信号２５２を受信し、上述したように、ビデオ表示装置３４２に表示装置電力信号２５８を送信する。ビデオ表示装置３４２は、所定のアドレスＡＤＤＲと関連付けられ、ビデオ変換装置１００は、共通制御信号２４０ＸＹＺ（図７Ｂ参照）に関連して詳細に上記で記載したように、デジタル用出力ＣＯＭポート１１４’を経由してビデオ表示装置３４２と制御信号２４０を通信する。
【００６３】
図７Ｃのビデオ変換装置１００は、出力ＣＯＭポート１１６を経由して標準ビデオ信号２３０及び／又は出力ＣＯＭポート１１４を経由して強化されたビデオ信号２２０を図示されたビデオ表示装置３４２に送信する。その結果、ビデオ変換装置１００は、ビデオ表示装置３４２に指示するために、例えば標準ビデオ信号２３０と関連づけられる情報コンテンツ及び／又は強化されたビデオ信号２２０と関連づけられる情報コンテンツを表示するためにアドレスＡＤＤＲとともに制御信号２４０を符号化する。ビデオ表示装置３４２は、制御信号２４０を受信して処理する。その結果、選択された情報コンテンツは、正確に表示される。
【００６４】
図７Ｄは、選択されたシステムリソース６８０（図６参照）から受信通信信号２１０Ａを受信し、ビデオ表示装置３４２にデジタルの強化されたビデオ信号２２０’を送信するビデオ変換装置１００を示す。ビデオ変換装置１００は、図２に関連して詳細に上記で記載したように、デジタル用出力ＣＯＭポート１１４’を経由してデジタルの強化されたビデオ信号２２０’を送信する。ビデオ表示装置３４２は、所定のアドレスＡＤＤＲと関連付けられ、ビデオ変換装置１００は、制御信号２４０（図７Ｃ参照）に関連して詳細に上記で記載したように、デジタル用出力ＣＯＭポート１１４’を経由してビデオ表示装置３４２と制御信号２４０を通信する。
【００６５】
本発明は、あらゆる強化されたもの及び代わりとなる形態の影響を受けやすい。また、最良の形態は、図面及び詳細に記載された明細書に実施例として示される。しかしながら、本発明は、開示された最良の形態及び方法に限定されることなく、それとは反対に、本発明は、強化されたもの、同等のもの、及び代わりとなるもの全てに及ぶと理解されるべきである。
【図面の簡単な説明】
【００６６】
【図１Ａ】図１Ａは、受信通信信号を介して送信されたビデオ情報を強化されたビデオ信号に変換するビデオ変換装置の本実施形態の典型的な平面ブロック図である。
【図１Ｂ】図１Ｂは、図１Ａのビデオ変換装置の別の本実施形態の典型的な平面ブロック図であり、ビデオ変換装置は、情報コンテンツを少なくとも１つの標準ビデオ信号に変換する。
【図２】図２は、図１Ａ−Ｂの車両情報装置の望ましい本実施形態の典型的なブロック図であり、ビデオ変換装置は、信号処理装置を備える。
【図３Ａ】図３Ａは、図２の車両情報装置の別の本実施形態の典型的なブロック図であり、ビデオ変換装置は、少なくとも部分的に信号処理装置を迂回するバイパスシステムを含む。
【図３Ｂ】図３Ｂは、図２の車両情報装置の別の本実施形態の典型的なブロック図であり、ビデオ変換装置は、少なくとも１つのビデオ表示装置に電力を印可する電源装置を含む。
【図４Ａ】車両情報装置の本実施形態の典型的なブロック図であり、車両情報装置は、例えば自動車等の車両に搭載される。
【図４Ｂ】図４Ｂは、図４Ａの車両情報装置の別の本実施形態の典型的なブロック図であり、車両情報装置は、航空機に搭載される。
【図５】図５は、図４Ａ−Ｂの乗客車両の典型的な客室の詳細図であり、車両情報装置は、複数の客席及び少なくとも１つのビデオ表示装置を含む。
【図６】図６は、図４Ａ−Ｂの車両情報装置の分配システムの詳細図であり、分配システムは、少なくとも１つの図２のビデオ変換装置を含み、少なくとの１つのコンテンツソースから選択された情報コンテンツを客席に分配する。
【図７Ａ】図７Ａは、図６の分配システムの本実施形態の典型的なブロック図であり、ビデオ変換装置は、合成ビデオ信号を介して複数の個々で制御されるビデオ表示装置に選択された情報コンテンツのビデオ部分を分配する。
【図７Ｂ】図７Ｂは、図６の分配システムの別の本実施形態の典型的なブロック図であり、合成ビデオ信号の通信が共通制御バスを介して制御される。
【図７Ｃ】図７Ｃは、図６の分配システムの別の本実施形態の典型的なブロック図であり、ビデオ変換装置は、合成ビデオ信号又はコンポーネントビデオ信号を介してビデオ表示装置に選択された情報コンテンツのビデオ部分を送信する。
【図７Ｄ】図７Ｄは、図６の分配システムの別の本実施形態の典型的なブロック図であり、ビデオ変換装置は、デジタルビデオ入力（ＤＶＩ）信号を介してビデオ表示装置に選択された情報コンテンツのビデオ部分を送信する。
【図１Ａ】
2008538486.tif 000003
【図１Ｂ】
2008538486.tif 000004
【図２】
2008538486.tif 000005
【図３Ａ】
2008538486.tif 000006
【図３Ｂ】
2008538486.tif 000007
【図４Ａ】
2008538486.tif 000008
【図４Ｂ】
2008538486.tif 000009
【図５】
2008538486.tif 000010
【図６】
2008538486.tif 000011
【図７Ａ】
2008538486.tif 000012
【図７Ｂ】
2008538486.tif 000013
【図７Ｃ】
2008538486.tif 000014
【図７Ｄ】
2008538486.tif 000015
【国際調査報告】
2008538486.tif 000016
2008538486.tif 000017
2008538486.tif 000018